(57)【要約】【課題】  簡単な構造で長時間対象部位を押圧する押圧具を提供する。【解決手段】  対象部位に接触させて使用する押圧具であって、対象部位を押圧する押圧シートと、前記押圧シートを対象部位に接触させるシート保持部と、を含み、前記シート保持部は、前記押圧シートを上から覆っており、前記押圧シートは、対象部位上で動くことができる押圧具。【選択図】図１
2020062222.tif 000002
【特許請求の範囲】
【請求項１】
対象部位に接触させて使用する押圧具であって、
対象部位を押圧する押圧シートと、
前記押圧シートを対象部位に接触させるシート保持部と、を含み、
前記シート保持部は、前記押圧シートを上から覆っており、
前記押圧シートは、対象部位上で動くことができる
ことを特徴とする押圧具。
【請求項２】
請求項１に記載の押圧具であって、
前記シート保持部は、伸縮性を有する
ことを特徴とする押圧具。
【請求項３】
請求項１又は２に記載の押圧具であって、
前記押圧シートは、可撓性又は弾性を有する
ことを特徴とする押圧具。
【請求項４】
請求項１〜３のいずれか一項に記載の押圧具であって、
前記シート保持部は、前記押圧シートが設置されるシート設置部と、肌と接触する肌接触部と、を含み、
前記肌接触部は、粘着力を有し、対象部位の周囲に貼り付けられる
ことを特徴とする押圧具。
【請求項５】
請求項４に記載の押圧具であって、
前記シート設置部と前記押圧シートとの粘着力が、前記肌接触部と肌との粘着力より弱い
ことを特徴とする押圧具。
【請求項６】
請求項４に記載の押圧具であって、
前記シート設置部は、粘着力を有しない
ことを特徴とする押圧具。
【請求項７】
請求項１〜６のいずれか一項に記載の押圧具であって、
前記押圧シートは、対象部位の肌と接触する側の面である肌側の面に、対象部位方向に突出する凸部が設けられている
ことを特徴とする押圧具。
【請求項８】
請求項１〜７のいずれか一項に記載の押圧具であって、
前記押圧シートは、対象部位を押圧する押圧部が、回転体である
ことを特徴とする押圧具。
【請求項９】
請求項１〜８のいずれか一項に記載の押圧具であって、
前記押圧シートは、前記シート保持部と接触する側の面である保持部側の面に、回転体が設けられている
ことを特徴とする押圧具。
【請求項１０】
請求項１〜７のいずれか一項に記載の押圧具であって、
前記押圧シートは、板ばね構造を有する
ことを特徴とする押圧具。
【請求項１１】
請求項１〜１０のいずれか一項に記載の押圧具であって、
前記押圧シートは、前記肌側の面に、治療又は美容のための所定の機能部が設けられている
ことを特徴とする押圧具。
【請求項１２】
請求項１〜１０のいずれか一項に記載の押圧具であって、
前記押圧シートは、前記肌側の面に、所定の粒子を含む素材がバインダーとともに塗布されている
ことを特徴とする押圧具。
【請求項１３】
請求項１〜１０のいずれか一項に記載の押圧具であって、
前記押圧シートは、前記肌側の面に、対象部位に微弱電流を流すための微弱電流部が設けられている
ことを特徴とする押圧具。
【請求項１４】
請求項１〜１３のいずれか一項に記載の押圧具であって、
前記押圧シートは、略三日月形状である
ことを特徴とする押圧具。
【発明の詳細な説明】
【技術分野】
【０００１】
本発明は、押圧具に関する。
【背景技術】
【０００２】
従来、手の指と掌で握れる程度の大きさに成形した円柱状の表面に凹凸を設けた掌握部と当該掌握部の両端部を円錐状、半球状、または凹凸状に形成したことを特徴とする押圧・マッサージ器具が提案されている（特許文献１を参照）。
【先行技術文献】
【特許文献】
【０００３】
【特許文献１】登録実用新案第３０２６８６４号公報
【発明の概要】
【発明が解決しようとする課題】
【０００４】
特許文献１に記載の押圧・マッサージ器具は、手で握って使用するものであるため、使用者自ら押圧・マッサージを行う場合、手が届かない部位や操作しにくい部位（例えば背中や腰）が多数存在する。
【０００５】
また、押圧・マッサージを行っている間は、使用者は他の作業ができなくなり、長時間使用にも向いていない。
【０００６】
本発明は、上記課題の少なくとも一つを解決するためのものであり、簡単な構造で長時間対象部位を押圧する押圧具を提供することを目的とする。
【課題を解決するための手段】
【０００７】
上述した少なくとも１つの課題を解決するために、本発明に係る押圧具は、対象部位に接触させて使用する押圧具であって、対象部位を押圧する押圧シートと、前記押圧シートを対象部位に接触させるシート保持部と、を含み、前記シート保持部は、前記押圧シートを上から覆っており、前記押圧シートは、対象部位上で動くことができる。
【０００８】
また、前記シート保持部は、伸縮性を有してもよい。
【０００９】
また、前記押圧シートは、可撓性又は弾性を有してもよい。
【００１０】
また、前記シート保持部は、前記押圧シートが設置されるシート設置部と、肌と接触する肌接触部と、を含み、前記肌接触部は、粘着力を有し、対象部位の周囲に貼り付けられてもよい。
【００１１】
また、前記シート設置部と前記押圧シートとの粘着力が、前記肌接触部と肌との粘着力より弱くてもよい。
【００１２】
また、前記シート設置部は、粘着力を有しなくてもよい。
【００１３】
また、前記押圧シートは、対象部位の肌と接触する側の面である肌側の面に、対象部位方向に突出する凸部が設けられていてもよい。
【００１４】
また、前記押圧シートは、対象部位を押圧する押圧部が、回転体であってもよい。
【００１５】
また、前記押圧シートは、前記シート保持部と接触する側の面である保持部側の面に、回転体が設けられていてもよい。
【００１６】
また、前記押圧シートは、板ばね構造を有してもよい。
【００１７】
また、前記押圧シートは、前記肌側の面に、治療又は美容のための所定の機能部が設けられていてもよい。
【００１８】
また、前記押圧シートは、前記肌側の面に、所定の粒子を含む素材がバインダーとともに塗布されていてもよい。
【００１９】
また、前記押圧シートは、前記肌側の面に、対象部位に微弱電流を流すための微弱電流部が設けられていてもよい。
【００２０】
また、前記押圧シートは、略三日月形状であってもよい。
【発明の効果】
【００２１】
本発明によれば、簡単な構造で長時間対象部位を押圧する押圧具が提供される。
【図面の簡単な説明】
【００２２】
【図１】本発明の実施形態１に係る押圧具の一例を示す斜視図である。
【図２】図１の押圧具の使用状態を説明するための図である。
【図３】実施形態１の変形例１に係る押圧シートの例を示す図である。
【図４】実施形態１の変形例１に係る押圧シートの例を示す図である。
【図５】実施形態１の変形例２に係る押圧シートの例を示す図である。
【図６】実施形態１の変形例３に係る押圧シートの例を示す図である。
【図７】図６の押圧具の使用状態の一例を説明するための図である。
【図８】図６の押圧具の使用状態の他の例を説明するための図である。
【図９】実施形態１の変形例４に係る押圧シートの例を示す図である。
【図１０】実施形態１の変形例４に係る押圧シートの例を示す図である。
【図１１】実施形態１の変形例５に係る押圧シートの例を示す図である。
【図１２】実施形態１の変形例６に係る押圧シートの例を示す図である。
【図１３】実施形態１の変形例６に係る押圧シートの例を示す図である。
【図１４】実施形態１の変形例７に係る押圧シートの例を示す図である。
【図１５】実施形態１の変形例７に係る押圧シートの例を示す図である。
【図１６】実施形態１の変形例８に係る押圧シートの例を示す図である。
【図１７】実施形態１の変形例９に係る押圧シートの例を示す図である。
【図１８】実施形態１の変形例９に係る押圧シートの例を示す図である。
【図１９】実施形態１の変形例１０に係る押圧シートの例を示す図である。
【図２０】実施形態１の変形例１１に係る押圧シートの例を示す図である。
【図２１】実施形態１の変形例１１に係る押圧シートの例を示す図である。
【図２２】実施形態１の変形例１２に係る押圧具の例を示す図である。
【図２３】実施形態１の変形例１２に係るシート保持部の例を示す図である。
【図２４】実施形態１の変形例１２に係るシート保持部の例を示す図である。
【図２５】実施形態１の変形例１２に係る押圧具の例を示す図である。
【図２６】実施形態１の変形例１２に係る押圧具の例を示す図である。
【図２７】実施形態１の変形例１２に係る押圧具の例を示す図である。
【図２８】図２２の押圧具の使用状態の一例を説明するための図である。
【図２９】図２２の押圧具の対象部位の例を説明するための図である。
【図３０】図２２の押圧具の対象部位の例を説明するための図である。
【発明を実施するための形態】
【００２３】
以下に本発明の実施形態の例を図面を参照して説明する。なお、下記実施形態において共通する構成要素については、前出の符号と同様な符号を付し説明を省略することがある。また、構成要素等の形状、位置関係等に言及する場合は、特に明示した場合及び原理的に明らかにそうでないと考えられる場合等を除き、実質的にその形状等に近似または類似するもの等を含むものとする。
【００２４】
＜実施形態１＞
図１〜図２は本発明の実施形態１に係る押圧具１の一例を示す図で、図１はその斜視図、図２はその使用状態を説明するための図である。押圧具１は、対象部位に接触して使用するもので、対象部位を押圧する押圧シート３と、押圧シート３を対象部位に接触させるシート保持部２とを含む。
【００２５】
シート保持部２は、好ましくは、伸縮性を有する。シート保持部２は、押圧シート３が対象部位と接触するようにこれを保持するものであればよく、その形状は押圧シート３の形状や対象部位などを考慮して適宜設定できる。一例として、図示のように、略矩形である。他の例として、シート保持部２は、細くやや長い帯状であってもよい。また、図２７に示すように、環状（リング状）であってもよい。環状のシート保持部２は、とりわけ、腕や足等にある対象部位に適している。
【００２６】
シート保持部２には、例えば、伸縮性を有する織物や伸縮性を有する不織布等が用いられる。なお、ポリエステル、ナイロン等の合成繊維、綿、木の皮、絹等の天然素材が用いられてもよい。
【００２７】
シート保持部２は、押圧シート３が設置されるシート設置部２１０と、肌と接触する肌接触部２２０とを含む。肌接触部２２０は、シート設置部２１０の周囲の少なくとも一部を囲い、一例として、図示のように、シート設置部２１０の周囲全体を囲う。肌接触部２２０は一例として、粘着剤が塗布され、押圧具１は肌接触部２２０によって対象部位の周囲に貼り付けられる。
【００２８】
シート設置部２１０は、押圧シート３を上から覆う。シート設置部２１０は、押圧シート３全体を上から覆うため、押圧シート３と同等又はそれ以上の面積を有する。
【００２９】
一例として、シート設置部２１０に粘着剤が塗布される。好ましくは、シート設置部２１０と押圧シート３との粘着力が、肌接触部２２０と肌との粘着力より弱い。例えば、シート設置部２１０の粘着力が、肌接触部２２０より低く、肌接触部２２０の粘着力の半分以下である。初期状態において押圧シート３がシート設置部２１０に貼り付けられる。なお、シート設置部２１０と肌接触部２２０に同様に粘着剤が塗布されるが、押圧シート３の材質や表面加工等によって、シート設置部２１０と押圧シート３との粘着力が、肌接触部２２０と肌との粘着力より弱くなっていてもよい。
【００３０】
他の例として、シート設置部２１０は、粘着力を有しない構成でもよい。例えば、シート設置部２１０に粘着剤が塗布されているものの、その塗布された部分に隔離紙（材）等が設置されて、粘着性を発揮できなくなっている。または、シート設置部２１０には、粘着剤が塗布されていない。
【００３１】
肌接触部２２０は、上記のように粘着力を有する構成でもよいし、シート保持部を所定の形状とすることで粘着力を有しない構成とすることもできる。例えば、図２７のシート保持部は、環状で伸縮性を有するため、肌接触部が粘着力を有しなくても、押圧シートを腕等における対象部位に接触させることができ、脱落しないように保持できる。シート保持部は、継目がない構成でもよいし、長手方向の両端部を粘着剤や面ファスナー、バックル等で接続する構成でもよい。
【００３２】
押圧シート３は、概略シート状のもので、対象部位を押圧して、対象部位に対して所定の作用を及ぼす。ここでは、押圧シート３は、例えば、対象部位を押圧することで、皮膚や皮下組織、筋肉などをマッサージする。押圧シート３は、一方側の面（保持部側の面）でシート保持部２と接触し、その反対側の面（肌側の面）で対象部位の肌と接触する。
【００３３】
押圧シート３は、好ましくは、可撓性又は弾性を有する。押圧シート３には、例えば、シリコン樹脂素材が用いられる。押圧シート３の弾性又は可撓性は、シート保持部２の伸縮性より弱い。なお、ポリウレタン樹脂、皮革（人口皮革を含む）が用いられてもよい。遠赤効果を有する炭素、岩石粉、鉱物粉等を含有してもよい。ゴム、発泡素材が用いられてもよい。
【００３４】
押圧シート３は、表面に滑り加工が施されてもよい。滑り加工は、押圧シート３全体に施されてもよいし、保持部側の面又は肌側の面の一方のみに施されてもよいし、一方又は両方の面の一部にのみ施されてもよい。
【００３５】
押圧シート３は、少なくとも一部に所定の機能部を設けてもよい。例えば、少なくとも一部に撥水加工や通気加工が施されてもよいし、小さな空気孔が複数設けられてもよい。また、少なくとも、肌側の面に、治療又は美容のための治療又は美容機能部を設けてもよい。このような治療又は美容機能部は、例えば、吸水性や吸気性等をもたせ、香料や薬剤を浸み込ませることで、形成できる。
【００３６】
押圧シート３は、所定の厚みを有し、その機能や対象部位などを考慮して適宜な形状とすることができる。押圧シート３は、本体３００の最大幅（直径、長手方向の幅等）が、例えば、本体の厚み（板厚）の８倍以上でる。押圧シート３は、例えば、厚みが０．５ｍｍ〜５．０ｍｍ程度で、より好ましくは１．０ｍｍ〜４．０ｍｍである。また、最大幅が、例えば、５．０ｍｍ〜１５０ｍｍ程度で、より好ましくは、８．０ｍｍ〜９０ｍｍである。
【００３７】
一例として、図示の押圧シート３は、略皿状（凹曲面状）で、平面視略円形状、側面視略弧形状である。押圧シート３は、押されると凹曲面が曲率半径を大きくしながら周囲に拡延し（皿形状が押し潰され）、押されなくなると元の状態に戻る。また、押圧シート３は、縁部３１０が本体部分より曲率半径が大きく、縁部３１０で肌と面接触する環状の面（環状面）を形成している。
【００３８】
押圧シート３は、肌側の面に、対象部位方向に突出する凸部３２０が設けられてもよい。凸部３２０は、押圧シート３の略中央に設けられ、好ましくは、頂点が上記環状面（肌接触面）にちょうど達する高さにある。凸部３２０は、例えば、円錐形状である。
【００３９】
図２（ａ）は、押圧具１の初期状態を示す図で、この状態では人体の対象部位Ｐは自然な状態（筋肉が弛緩している状態）にある。対象部位Ｐはやや凸状の凸曲面である（Ａ−Ｂ）。押圧シート３は、対象部位Ｐの肌と接触しており、より具体的には、縁部３１０で構成される環状面、凸部３２０の頂点が肌と接触している。シート保持部２は、押圧シート３が上記状態にあるように、シート設置部２１０で押圧シート３を上から覆い、肌接触部２２０が肌に貼り付けられている。
【００４０】
図２（ｂ）は、押圧具１の押圧状態を示す図で、この状態では対象部位Ｐは筋肉が緊張している状態にある。筋肉が緊張して膨らむと、対象部位Ｐの肌面が膨らむ（Ａ−Ｂの曲率半径が小さくなる）。そうすると、対象部位Ｐが押圧具１を下から押し上げ、シート保持部が肌に引っ張られて矢印Ｃ方向に伸び、凸部３２０が対象部位を押圧する。より具体的には、凸部３２０が対象部位に押し込んでピンポイントで対象部位を押圧し、押圧シート本体の凹曲面が押し潰されて拡延し、縁部３１０が接触面上を移動しながら押圧する。
【００４１】
押圧具１は、筋肉の緊張状態の高低によって、押圧力も高低し、弛緩状態に戻ると、図２（ａ）の初期状態に戻る。このように、押圧具１は、対象部位の緊張と弛緩の変化に応じて、押圧シート３が変形することで、対象部位を押圧したり、押圧力を弱めたり、解放したりする。また、人体の対象部位に貼るだけで、特別な操作を必要とすることなく、長時間に亘って使用できる。
【００４２】
押圧具１は、シート保持部２のシート設置部２１０の粘着力が肌接触部２２０より弱いため、押圧シート３が効率よく押圧機能を果たせる。伸縮性で対応できる場合もあるが、例えば、対象部位Ｐの動きに応じて押圧シート３が姿勢を調整する必要がある場合でも、シート設置部２１０の粘着力が弱いため、押圧シート３が部分的にシート保持部２から一旦剥がれて姿勢の調整が可能となる。また、姿勢が調整された後は、シート保持部２が伸縮性を有するため、押圧シート３は一旦剥がれた部分を含めて新しい姿勢でシート設置部２１０に貼り付けられる。
【００４３】
なお、押圧具１は、シート設置部２１０が粘着力を有しない場合、わずかに粘着力を有する場合等でも、シート保持部２が伸縮性を有するため、押圧シート３が対象部位から脱落することなく、姿勢の調整が可能である。
【００４４】
＜実施形態１の変形例１＞
押圧具１は、押圧シート３が他の形態であってもよい。図３（ａ）はその一例である押圧シート３ａの肌側の面の一例を示す図、図３（ｂ）は側面を示す図で、図４は肌側の面の他の例を示す図である。
【００４５】
押圧シート３ａは、平らなシート状である。押圧シート３ａの肌側の面は、外形が図示のように、概略円形であってもよいし、楕円形や多角形等でもよい。または、星形状、花びら形状、ハート形状の外形を有してもよい。
【００４６】
押圧シート３ａは、押圧シート３ａを厚み方向に貫通する空洞部３０１ａと、空洞部３０１ａ以外の実肉部３０２ａを有する。押圧シート３ａは、実肉部３０２ａが押圧部として、対象部位を押圧する。好ましくは、空洞部３０１ａは複数設けられる。なお、押圧シート３ａは、厚み方向に貫通する空洞部の代わりに、肌側の面を所定の深さまで凹ませた凹部を有してもよい。
【００４７】
空洞部３０１ａは、図示のように、複数の同心円上に分布し、同じ同心円上の空洞部３０１ａが実肉部３０２ａによって所定間隔で分断されてもよい。図３（ａ）に示すように、空洞部３０１ａは、複数の同心円上にそれぞれ同数分布して、同じ角度の空洞部で空洞群をなし、内側より外側の空洞部が大きく形成されてもよい。また、図４に示すように、一の同心円上の空洞部３０１ａが他の同心円上の空洞部の間の実肉部３０２ａと相対するように形成されてもよい。また、図４に示すように、中央部分に空洞部を有してもよい。
【００４８】
押圧シート３ａは、空洞部３０１ａを含むことで、弾性ないし可撓性が増し、姿勢の調整がより柔軟に行える。また、複数の空洞部３０１ａを有するものの、実肉部３０２ａが繋がっていて面形状を保持しているため、対象部位の動きが押圧シート３ａ全体に伝達しやすい。
【００４９】
＜実施形態１の変形例２＞
図５（ａ）は他の一例である押圧シート３ｂの肌側の面の一例を示す図、図５（ｂ）は側面を示す図である。
【００５０】
押圧シート３ｂは、肌側の面の外形が切欠いた円形状であり、より具体的には、二つの扇状の部分が円形部分で中央で繋がる形状である。押圧シート３ｂは、図３の押圧シート３ａの一部が切欠いたものでもよい。押圧シート３ｂは、このような形状でも、空洞部３０１ｂを含み、実肉部３０２ｂが面形状を維持しているため、上記と同様な効果が得られる。
【００５１】
押圧シート３ｂは、さらに凸部を含んでもよい。図示のように、凸部３２０ｂは、３つ設けられ、中央の円形部分とその両側の扇状の部分のそれぞれに設けられてもよい。それぞれの部分に凸部３２０ｂを設けることで、対象部位をより効果的に押圧できる。図示の凸部３２０ｂは、扇形状の略中心に設けられているが、その両端にさらに設けられてもよい。凸部３２０ｂの頂点の高さは、例えば、本体の厚みの０．５倍〜２倍である。
【００５２】
＜実施形態１の変形例３＞
図６〜図７は、他の一例である押圧シート３ｃを示す図である。図６（ａ）は押圧シート３ｃを肌側（対象部位側）から見た図、図６（ｂ）は押圧シート３ｃの側面図、図７は押圧シート３ｃを含む押圧具１ｃの使用状態の一例を説明する図である。図８は押圧シート３ｃを含む押圧具１ｃの使用状態の他の例を説明する図である。
【００５３】
押圧シート３ｃは、本体３００が概略シート状で、外形が例えば図示のように略矩形である。押圧シート３ｃには、例えば、金属や樹脂素材が用いられる。押圧シート３ｃは、ばね構造を有し、例えば板ばね構造を有する。以下ではその一例を説明する。
【００５４】
押圧シート３ｃは、厚みが例えば１．０ｍｍ〜５．０ｍｍで、より好ましくは、１．５ｍｍ〜４．０ｍｍである。押圧シート３ｃは、長手方向の幅（長さ）が、例えば、１０ｍｍ〜１２０ｍｍで、より好ましくは２０ｍｍ〜１００ｍｍで、短手方向の幅が、例えば、長手方向の幅の１／５〜１である。
【００５５】
押圧シート３ｃは、本体３００を厚み方向に貫通する窓枠部３０３ｃを有する。窓枠部３０３ｃは、好ましくは２以上含み、互いに対向した位置にある。以下では、２つの窓枠部３０３ｃを有する例を説明する。
【００５６】
窓枠部３０３ｃは、図示のように略矩形であってもよいし、円形その他の形状であってもよい。押圧シート３ｃは、窓枠部３０３ｃと対応した位置に、窓枠部３０３ｃと対応した数のばね部３３０ｃを有する。以下では、２つのばね部３３０ｃを有する例を説明する。
【００５７】
ばね部３３０ｃは、好ましくは、窓枠部３０３ｃに対応した形状であり、ここでは、図６（ａ）に図示のように平面視略矩形である。ばね部３３０ｃは、押圧シート３ｃに所定角度で設けられる。より具体的には、ばね部３３０ｃは、一端である基部３３１ｃが窓枠部３０３ｃの縁の一部と接続し、他端である脚部３３２ｃが押圧シート３ｃの一方側の面と所定角度αをなすように延びている。所定角度αは、例えば、５度〜４５度であり、好ましくは、１０度〜３０度である。
【００５８】
ばね部３３０ｃは、互いに相対している。ここでは、２つのばね部３３０ｃは、基部３３１ｃ同士が対向し、脚部３３２ｃ同士が対向して設けられて、図６（ｂ）に図示のように、側面視略八の字形状をなしている。
【００５９】
ばね部３３０ｃは、互いに対向する側である内側の面で対象部位と接触する。対象部位との接触をスムーズにするために、ばね部３３０ｃの脚部３３２ｃは、互いに離間する方向に曲げられて、脚部３３２ｃの内側の面は、対象部位側に向いている。なお、脚部３３２ｃの内側面（肌接触面）に凸部が設けられてもよい。
【００６０】
ばね部３３０ｃは、互いに離間する側、すなわち角度αが小さくなる方向に押されても、外力が解除されると元の状態（元の角度）に復元するように付勢されている。
【００６１】
押圧シート３ｃは、例えば、矩形の薄板状の部材に、開口が内側に向く２つのコの字状の切り込みを入れることで、窓枠部３０３ｃを形成すると共に、切り込まれたコの字状の部分を折り曲げることでばね部３３０ｃを形成してもよい。図示のように、ばね部３３０ｃは、窓枠部３０３ｃより一回り小さく形成されてもよい。
【００６２】
図７に示すように、対象部位Ｐの筋肉が緊張して膨らみ、肌面が膨らむと、押圧シート３ｃが押される。より具体的には、ばね部３３０ｃが押されて、２つの脚部３３２ｃが肌面との接触面を広げながら（開脚しながら）対象部位を摩擦し、押圧する。そして、筋肉が弛緩すると、肌面が元に戻り、ばね部３３０ｃが初期状態に復元し、対象部位に対する押圧が解除される。
【００６３】
押圧具１ｃは、押圧シート３ｃにばね構造を備えることで、対象部位への押圧と押圧の解除をより容易に行える。
【００６４】
なお、押圧シート３ｃは、上記に限定されず、板状の押圧シートに複数の屈曲部を設け（繰り返し連続曲げたものを含む）、屈曲部をばね部としてもよい。
【００６５】
図８に示すように、押圧具１ｃは、押圧シート３ｃの本体３００が押圧部として対象部位と接触し、ばね部３３０ｃがシート設置部２１０と接触してもよい。ばね部３３０ｃによって、押圧の力やタイミングが調整されるため、対象部位をよりやさしく押圧できる。また、ばね構造によって、押圧シート３ｃの姿勢の調整がより柔軟に行える。
【００６６】
＜実施形態１の変形例４＞
図９は、他の一例である押圧シート３ｄを示す図で、図９（ａ）は肌側の面を示す図、図９（ｂ）は横断面の一部を示す図である。図１０は押圧シート３ｄの他の例を示す図で横断面の一部を示す図である。
【００６７】
押圧シート３ｄは、肌側の面に複数の球状体３４０ｄが設けられる。球状体３４０ｄは、押圧シート３ｄに回転可能に設けられてもよいし、固定して設けられてもよい。以下では、回転可能に設けられた例を説明する。また、球状体３４０ｄ同士の間隔は、均等でなくもよく、所定数で群をなして群同士が所定間隔で配置されてもよい。
【００６８】
押圧シート３ｄは、所定の厚みを有するシート状で、本体３００が例えば略矩形に形成される。本体３００は、肌側の面に、球状体３４０ｄを収容するための収容部３０４ｄを球状体３４０ｄの数分だけ有する。収容部３０４ｄは、厚み方向に凹む有底穴である。
【００６９】
収容部３０４ｄは、平面視略円形で、直径が球状体３４０ｄよりやや大きい。収容部３０４ｄは、深さが球状体３４０ｄの直径より小さい。
【００７０】
収容部３０４ｄは、穴底の略中央に略円錐状に突出する支点３０４１ｄを有する。また、穴の縁部に凹み方向と反対方向に突出する支持部３０４２ｄを有する。支持部３０４２ｄは、穴の縁部を囲う環状であってもよいし、対向した位置に設けられた２以上の爪状のものでもよい。支持部３０４２ｄの内側の最大幅は、球状体３４０ｄの直径よりやや小さい。
【００７１】
球状体３４０ｄは、収容部３０４ｄに収容され、支点３０４１ｄを支点として回転可能である。支持部３０４２ｄは、球状体３４０ｄが収容部３０４ｄから脱落しないようにこれを回転可能に支持する。球状体３４０ｄは、本体３００に例えば圧入等で取り付けられる。
【００７２】
押圧シート３ｄは、凸状の球状体３４０ｄを備えることで、対象部位をより効率よく押圧できる。また、球状体３４０ｄが回転可能であるため、対象部位の肌面を滑らせることもできる。
【００７３】
なお、押圧シート３ｄは、図９（ｂ）の図示状態を上下逆にして、押圧シート３ｄの本体３００が押圧部として対象部位と接触し、球状体３４０ｄがシート設置部と接触してもよい。球状体３４０ｄを備えることで、押圧シート３ｄは所定の範囲内で移動しやすくなる。
【００７４】
押圧シート３ｄは、図１０に示すように、保持部側の面にも球状体３４０ｄを備えてもよい。保持部側の面に球状体３４０ｄを備えることで、押圧シート３ｄは所定の範囲内で移動しやすくなる。言い換えれば、保持部側の面の球状体がシート設置面上で回転し、肌側の面上の球状体３４０ｄが肌面上で回転することで、押圧シート３ｄの本体の変形や移動等の動きに対応しやすい。例えば、肘関節付近に用いられた場合、肘の屈伸動作に対応しやすい。
【００７５】
＜実施形態１の変形例５＞
図１１は、他の一例である押圧シート３ｅを示す図で、その側面を示す図である。押圧シート３ｅは、保持部側の面と肌側の面の両方に突出するように球状体３４０ｄが設けられる。球状体３４０ｄは、押圧シート３ｅに回転可能に設けられてもよいし、固定して設けられてもよい。以下では、回転可能に設けられた例を説明する。
【００７６】
押圧シート３ｅは、本体３００を厚み方向に貫通する貫通孔である収容部３０４ｅを球状体３０４ｄの数分だけ有する。本体３００は、厚みが球状体３４０ｄの直径より小さい。球状体３４０ｄは、収容部３０４ｅに、保持部側の面と肌側の面の両方に突出するように収容される。球状体３４０ｄは、例えば、その重心が収容部３０４ｅの略中央に位置するように収容される。
【００７７】
収容部３０４ｅは、図示しないが、例えば支持部となる凸部を略中央に有してもよい。この支持部によって、球状体３４０ｄが収容部３０４ｅから脱落せず回転可能に支持される。
【００７８】
押圧シート３ｅは、より少ない球状体で押圧シート３ｅを肌側の面と保持部側の面の両方で滑らせることができる。
【００７９】
＜実施形態１の変形例６＞
図１２は、他の一例である押圧シート３ｆを示す図で、横断面の一部を示す図である。図１３は、押圧シート３ｆの他の例を示す図である。押圧シート３ｆは、対象部位に微弱電流を流すための微弱電流部が設けられている点が主に上記実施形態１の変形例４と異なる。
【００８０】
押圧シート３ｆは、肌側に、正電極部３４１ｆと、負電極部３４２ｆとを有する。正電極部３４１ｆは肌に接触して正電極として作用する部分を含み、負電極部３４２ｆは肌に接触して負電極として作用する部分を含む。正電極部３４１ｆ及び負電極部３４２ｆは本体３００によって肌側において絶縁されている。正電極部３４１ｆと負電極部３４２ｆは、交互に配置され、それぞれ少なくとも１つ以上設けられる。また、押圧シート３ｆは、保持部側に正電極部３４１ｆと負電極部３４２ｆを電気的に接続する導電部３４３ｆを有する。
【００８１】
正電極部３４１ｆは、例えば、樹脂製の球状体に金等正電極になる素材を塗布又はメッキ等して形成される。負電極部３４２ｆは、例えば、樹脂製の球状体に銀、アルミニウム等負電極になる素材を塗布又はメッキ等して形成される。
【００８２】
正電極部３４１ｆ及び負電極部３４２ｆは、本体３００に設けられる収容部３０４ｆに収容される。正電極部３４１ｆ及び負電極部３４２ｆは、両方が回転可能であってもよいし、両方が固定されてもよいし、一方が回転可能で他方が固定されてもよい。以下では、両方が回転可能に設けられる例を説明する。
【００８３】
収容部３０４ｆは、支点の代わりに、穴底の略中央に貫通孔である連通部３０４１ｆを有する。正電極部３４１ｆ及び負電極部３４２ｆは、この連通部３０４１ｆを通じて導電部３４３ｆと接続する。
【００８４】
収容部３０４ｆは、支持部３０４２ｄを有し、これによって収容部３０４ｆから脱落しないように、回転可能に支持される。正電極部３４１ｆ及び負電極部３４２ｆは、導電部３４３ｆとの接点を支点として回転するようにしてもよい。
【００８５】
押圧シート３ｆは、図１３に示すように、保持部側に上記実施形態１の変形例と同様に、球状体３４０ｄを備えてもよい。この場合、導電部３４３ｆは、本体３００の略中央に挟まれるように設けられる。
【００８６】
＜実施形態１の変形例７＞
図１４は、他の一例である押圧シート３ｇを示す図で、図１４（ａ）は肌側の面を示す図、図１４（ｂ）は側面を示す図である。図１５は押圧シート３ｇの他の例を示す図である。
【００８７】
押圧シート３ｄは、本体３００が所定の厚みを有するシート状で、例えば略矩形である。押圧シート３ｄは、本体３００の肌側に略円柱体である複数のローラー３５０ｇが設置される。ローラー３５０ｇは、円柱形状の両端の中心軸に対応した位置に細い短軸３５１ｇを有する。ローラー３５０ｇは、中心軸が本体３００と水平になるように、短軸３５１ｇによって本体３００に回転可能に設けられる。好ましくは、ローラー３５０ｇは、回転の支障とならないように、周面が本体３００の表面からやや離れる位置に設けられる。
【００８８】
本体３００は、ローラー３５０ｇを支持するための支持部３０５ｇを有する。支持部３０５ｇは、短軸３５１ｇと対応した位置に軸穴３０５１ｇを有し、この軸穴３０５１ｇに短軸３５１ｇが回転可能に支持される。
【００８９】
押圧シート３ｇは、ローラー３５０ｇを備えることで、対象部位を効率よく押圧できる。また、ローラー３５０ｇが回転可能であるため、対象部位の肌面を滑らせることができる。なお、回転体は、略円柱状のローラーに限らず、他の形態であってもよい。
【００９０】
なお、押圧シート３ｇは、図１４（ｂ）の図示状態を上下逆にして、押圧シート３ｇの本体３００が押圧部として対象部位と接触し、ローラー３５０ｇがシート設置部と接触してもよい。ローラー３５０ｇを備えることで、押圧シート３ｇは所定の範囲内で移動しやすくなる。
【００９１】
押圧シート３ｇは、図１５に示すように、ローラー３５０ｇの周面に凹凸を有してもよい。一例として、図１５（ａ）に示すように、周面に周方向に沿ってリブ３５２ｇが設けられる。リブ３５２ｇの数や幅、高さは、ローラー３５０ｇの大きさや、押圧シート全体の大きさ等を考慮して適宜設定できる。リブ３５２ｇは、ゴム製のリング等であってもよい。
【００９２】
押圧シート３ｇは、他の例として、図１５（ｂ）に示すように、ローラー３５０ｇの周面に周方向に沿ってさらに凸模様３５３ｇが設けられてもよい。図示のように、凸模様３５３ｇは、リブ３５２ｇ等の凸部上に設けられてもよい。
【００９３】
＜実施形態１の変形例８＞
図１６（ａ）及び図１６（ｂ）は、他の例である押圧シート３ｈをそれぞれ示す図で、横断面の一部を示す図である。押圧シート３ｈは、対象部位に微弱電流を流すための微弱電流部が設けられている点が主に上記実施形態１の変形例７と異なる。微弱電流部は、ローラー３５０ｇに設けられる。
【００９４】
一例として、図１６（ａ）に示すように、導電部３５７ｈは、ローラー３５０ｇの周面を覆うように導電性を有する素材が塗布又はメッキ等されて形成される。正電極部３５４ｈ及び負電極部３５５ｈは、導電部３５７ｈを周方向に環状に囲うようにリブ状に形成される。例えば、リブ状の部材に正（負）電極となる素材を塗布又はメッキ等することで形成されてよい。正電極部３５４ｈと負電極部３５５ｈとの間には、絶縁部３５６ｈが両者の間の導電部の露出部分を覆うように設けられる。正電極部３５４ｈと負電極部３５５ｈは、交互に配置され、それぞれ少なくとも１以上設けれる。
【００９５】
他の例として、図１６（ｂ）に示すように、正電極部３５４ｈ及び負電極部３５５ｈは、ローラー３５０ｇの周面上の導電部３５７ｈ上に軸方向に沿ってリブ状に形成される。例えば、リブ状の部材に正（負）電極となる素材を塗布又はメッキ等することで形成されてよい。正電極部３５４ｈと負電極部３５５ｈとの間には、絶縁部３５６ｈが両者の間の導電部の露出部分を覆うように設けられる。
【００９６】
なお、押圧シート３ｈは、隣同士のローラー３５０ｇの一方が正電極部として構成され、他方が負電極部として構成され、両者が導電部によって接続されてもよい。
【００９７】
＜実施形態１の変形例９＞
図１７〜図１８は、他の一例である押圧シート３ｉの一例を示す図で、図１７（ａ）は肌側（対象部位側）から見た図、図１７（ｂ）は側面図である。図１８は、押圧シート３ｉの他の例を示す図である。
【００９８】
押圧シート３ｉは、三日月形状であってもよい。以下では、三日月形状の例を説明する。図示の押圧シート３ｉは、本体３００が三日月形状に形成される。
【００９９】
押圧シート３ｉは、好ましくは、本体３００の肌側の面に所定の金属粒子を含む素材がバイダーとともに塗布されて形成される金属塗布部３６０ｉを含む。金属塗布部３６０ｉは、好ましくは、本体３００と同様に、三日月形状の面となるように塗布される。なお、金属塗布部３６０ｉは、図１７（ｂ）では黒塗りで図示している（図１８以下同じ。）。所定の金属粒子は、例えば、金、銀等である。例えば、負電極となるアルミニウム、チタン、亜鉛等と、正電極となる金、銀等の貴金属とを用いて、微細な電流を発生させてもよい。
【０１００】
なお、粒子を用いるのではなく、金箔等の箔を帯状、破片状に配置してもよい。
【０１０１】
図１８に示すように、押圧シート３ｉは、金属塗布部３６０ｉの肌側（図示の下方）に保湿シート等の美容シート３６１ｉが設けられてもよい。美容シート３６１ｉには、例えばヒアルロン酸等の美容成分が含まれている。
【０１０２】
＜実施形態１の変形例１０＞
図１９は、他の一例である押圧シート３ｊの一例を示す図で、図１９（ａ）は肌側（対象部位側）から見た図、図１９（ｂ）は側面図である。
【０１０３】
押圧シート３ｊは、本体３００の肌側の面に、対象部位に微弱電流を流すための微弱電流部３７０ｊが設けられている。微弱電流部３７０ｊは、従来技術におけるものを用いることができる。なお、図１９（ｂ）では黒塗りで図示している（図２０以下同じ。）
【０１０４】
一例として、微弱電流部３７０ｊは、正電極部３７１ｊと負電極部３７２ｊと絶縁部３７３ｊとを含む。正電極部３７１ｊは肌に接触して正電極として作用する部分を含み、負電極部３７２ｊは肌に接触して負電極として作用する部分を含み、絶縁部３７３ｊは肌側において正電極と負電極との間を絶縁する。正電極部３７１ｊと負電極部３７２ｊは、交互に配置され、それぞれ少なくとも１つ以上設けられる。正電極部３７１ｊと負電極部３７２ｊは、電気的に接続されている。
【０１０５】
押圧シート３ｊには、上記保湿シート等の美容シートが設けられてもよい。
【０１０６】
＜実施形態１の変形例１１＞
図２０〜図２１は、他の一例である押圧シート３ｋを示す図で、図２０（ａ）は斜視図、図２０（ｂ）は側面図である。図２１（ａ）、図２１（ｂ）は押圧シート３ｋの他の例をそれぞれ示す図である。
【０１０７】
正電極部３７１ｋ及び負電極部３７２ｋは、対象部位側に突出する、両端に丸みを有するリブ形状に形成されてもよい。正電極部３７１ｋ及び負電極部３７２ｋは、厚みが、例えば０．５ｍｍ〜８．０ｍｍ、好ましくは１．０〜５．０ｍｍほどである。正電極部３７１ｋ及び負電極部３７２ｋは、表面が凹曲面であってもよい。
【０１０８】
正電極部３７１ｋと負電極部３７２ｋは、導電部３７４ｋによって電気的に接続され、肌側の面では、絶縁部３７３ｋによって絶縁されている。
【０１０９】
また、正電極部３７１ｋ及び負電極部３７２ｋは、図２１（ａ）の肌側の面を示す図面に示すように、対象部位側に突出する、略楕円形状に形成されてもよい。また、図２１（ｂ）の肌側の面を示す図面に示すように、対象部位側に突出する、略円形状に形成されてもよい。
【０１１０】
絶縁部３７３ｋは、例えば、面状に形成され、厚み方向に貫通する窓部を複数設けられる。正電極部３７１ｋ及び負電極部３７２ｋは、この窓部を通って肌側に露出して、正電極と負電極になる。
【０１１１】
＜実施形態１の変形例１２＞
図２２〜図２９は、実施形態１の変形例１２に係る押圧具１ｍを示す図である。図２２（ａ）は、押圧具１ｍの肌側の面の一例を示す図、図２２（ｂ）はシート保持部２ｍの一例を示す図である。図２３（ａ）、図２３（ｂ）はシート保持部２ｍの他の例を示す図である。図２５、図２６（ａ）及び図２６（ｂ）は、押圧具１ｍの他の例をそれぞれ示す図である。図２７は、押圧具１ｍの他の例を示す図である。図２８は、押圧具１ｍの使用状態を説明するための図である。図２９及び図３０は、押圧具１ｍが用いられる対象部位の例を示すものである。
【０１１２】
押圧具１ｍは、対象部位を押圧する押圧シート３ｊと、押圧シート３ｊを対象部位に接触させるシート保持部２ｍとを含む。押圧シート３ｊは上記と同様であり、説明を省略する。
【０１１３】
図２２（ａ）に示すように、シート保持部２ｍは、伸縮性を有し、例えば図示のように角に丸みを有する矩形である。シート保持部２ｍは、シート設置部２１０ｍと、肌接触部２２０ｍとを有する。シート設置部２１０ｍは、押圧シート３ｊを上から覆い、ここでは、押圧シート２ｊより面積がやや大きく設けられる。肌接触部２２０ｍは、シート設置部２１０ｍの全周を囲うように設けられる。
【０１１４】
押圧具１ｍは、押圧シート３ｊ及びシート保持部２ｍが別体に使用者に提供され、使用者側で押圧シート３ｊをシート保持部２ｍに貼り付けて使用してもよい。また、押圧シート３ｊを繰り返し使えるように、付属品としてシート保持部２ｍを数枚押圧具１ｍに付けて使用者に提供してもよい。
【０１１５】
このような場合には、図２２（ｂ）に示すように、シート保持部２ｍは、好ましくは、剥離材２３０ｍを含む。剥離材２３０ｍは、シート保持部２ｍのシート設置部２１０ｍに対応するシート対応部２３１ｍと、肌接触部２２０ｍに対応するテープ対応部２３２ｍとを含む。
【０１１６】
シート対応部２３１ｍには、押圧シート３ｊの貼付方法等を示す説明文２３１１ｍや記号２３１２ｍ、色彩などが印刷されてもよい。また、テープ対応部２３２ｍには、シート保持部２ｍの貼付方法等を示す説明文２３２１ｍや記号２３２２ｍ、色彩などが印刷されてもよい。また、提供者の社名、商標、品番などを示す提供者表示２３２３ｍが印刷されてもよい。
【０１１７】
図２３（ａ）に示すように、シート保持部２ｍは、対向する２つの方向に伸縮するものでもよい。例えば、図示のように、シート保持部２ｍは、本体２００ｍが左、右方向（横方向）に伸縮する。
【０１１８】
図２４に示すように、肌接触部２２０ｍは、横方向の左、右両端に第１端部２２１ｍ、第２端部２２２ｍが配置され、その間の中央部分にシート設置部２１０ｍが配置されてもよい。
【０１１９】
ここでは、肌接触部２２０ｍに粘着剤が塗布され、シート設置部２１０ｍには粘着剤が塗布されない。なお、シート保持部２ｍ全体に粘着剤が塗布され、シート設置部２１０ｍに隔離紙が設けられて、シート設置部２１０ｍが粘着力を有しない（発揮できない）ようにしてもよい。
【０１２０】
図２５に示すように、シート保持部２ｍは、対向する２つの方向に第１端部２２１ｍ、第２端部２２２ｍが配置され、これらと異なる第３方向に第３端部２２３ｍが配置されてもよい。
【０１２１】
なお、図示しないが、シート保持部２ｍは、各端部の先端付近にだけ粘着部分が設けられてもよい。
【０１２２】
図２６に示すように、シート保持部２ｍは、押圧シート３ｊと同様に三日月形状であってもよい。この場合、押圧シート３ｊは、図２６（ａ）に示すように、略中央に設置されてもよいし、図２６（ｂ）に示すように、縁の一部（内円弧３０６ｊ）が肌接触部２２０ｍの縁と同位置で重なるように設置されてもよい。
【０１２３】
図２７に示すように、シート保持部２ｍは、前述のように、環状（リング状）であってもよい。この場合、継目以外は、シート設置部とすることができ、適応範囲が広くなる。
【０１２４】
押圧具は、貼り付けられた対象部位の筋肉が大幅に動いた場合もその機能を発揮できる。図２８はその一例を示す図である。例えば、押圧具１ｍが腕に貼り付けられ、肘の屈伸運動によって筋肉が図２８（ａ）、図２８（ｂ）、図２８（ｃ）の順に大幅に動いた場合でも、押圧具１ｍは、押圧シートが貼付テープによって貼り付けられているため、対象部位の肌から脱落することはない。また、対象部位の筋肉が動いても、その動きに応じて図示のように動いて姿勢を調整できる。その際に、押圧シートはたとえその一部が移動元から離れたとしても、シート設置部によってすぐに移動先に押されるため対象部位の肌から完全に離れたり、脱落したりすることはない。
【０１２５】
押圧具は、筋肉の動きに応じて、図２８（ａ）に示す初期態様（状態）から、図２８（ｂ）に示す筋肉が動いた後の変動態様（状態）、又は図２８（ｃ）に示す筋肉が動いた後の変動態様（状態）に相対的に位置変動し、筋肉の動きに追随して相対位置が変わる。また、上記のように、押圧具は肌側の面に滑り加工を施したり、回転部を備えたりすることで位置変動の際に肌面をスムーズに移動し（滑り）、押圧に変化をもたらすことができる。
【０１２６】
押圧具は、図２９に示すように上半身の肩や胸、腰等に用いることができるし、図３０に示すように下半身の膝下や足の甲等に用いることもできる。図２２に図示の押圧具１ｍの場合は、これが三日月形状であるため、その内側の円弧で、手、足、肩等丸みを帯びたり、突出したりする部位（骨や筋肉、こぶ等の膨らみがある部位）の裾野に沿って貼り付けることができる。
【０１２７】
なお、上記の記載に基づいて、当業者であれば、本発明の追加の効果や種々の変形を想到できるかもしれないが、本発明の態様は、上述した実施形態に限定されるものではない。特許請求の範囲に規定された内容及びその均等物から導き出される本発明の概念的な思想と趣旨を逸脱しない範囲で種々の追加、変更及び部分的削除が可能である。
【符号の説明】
【０１２８】
１、１ｃ、１ｍ          押圧具
２、２ｍ                シート保持部
２１０、２１０ｍ        シート設置部
２２０、２２０ｍ        肌接触部
３、３ａ、３ｂ、３ｃ、３ｄ、３ｅ、３ｆ、３ｇ、３ｈ、３ｉ、３ｊ  押圧シート
３００                  本体
３０１ａ、３０１ｂ      空洞部
３０２ａ、３０２ｂ      実肉部
３０３ｃ                窓枠部
３０４ｄ、３０４ｅ      収容部
３０５ｇ                支持部
３０６ｊ                内円弧
３１０                  縁部
３２０、３２０ｂ        凸部
３３０ｃ                ばね部
３４０ｄ                球状体
３５０ｇ                ローラー
３６０ｉ                金属塗布部
３７０ｊ、３７０ｋ      微弱電流部
【図１】
2020062222.tif 000003
【図２】
2020062222.tif 000004
【図３】
2020062222.tif 000005
【図４】
2020062222.tif 000006
【図５】
2020062222.tif 000007
【図６】
2020062222.tif 000008
【図７】
2020062222.tif 000009
【図８】
2020062222.tif 000010
【図９】
2020062222.tif 000011
【図１０】
2020062222.tif 000012
【図１１】
2020062222.tif 000013
【図１２】
2020062222.tif 000014
【図１３】
2020062222.tif 000015
【図１４】
2020062222.tif 000016
【図１５】
2020062222.tif 000017
【図１６】
2020062222.tif 000018
【図１７】
2020062222.tif 000019
【図１８】
2020062222.tif 000020
【図１９】
2020062222.tif 000021
【図２０】
2020062222.tif 000022
【図２１】
2020062222.tif 000023
【図２２】
2020062222.tif 000024
【図２３】
2020062222.tif 000025
【図２４】
2020062222.tif 000026
【図２５】
2020062222.tif 000027
【図２６】
2020062222.tif 000028
【図２７】
2020062222.tif 000029
【図２８】
2020062222.tif 000030
【図２９】
2020062222.tif 000031
【図３０】
2020062222.tif 000032
【手続補正書】
【提出日】平成31年1月28日(2019.1.28)
【手続補正１】
【補正対象書類名】特許請求の範囲
【補正対象項目名】全文
【補正方法】変更
【補正の内容】
【特許請求の範囲】
【請求項１】
対象部位に接触させて使用する押圧具であって、
対象部位を押圧する押圧シートと、
前記押圧シートを対象部位に接触させるシート保持部と、を含み、
前記シート保持部は、前記押圧シートを上から覆っており、
前記押圧シートは、前記シート保持部に対して肌面方向に相対的に移動し、対象部位上で動くことができる
ことを特徴とする押圧具。
【請求項２】
請求項１に記載の押圧具であって、
前記シート保持部は、伸縮性を有する
ことを特徴とする押圧具。
【請求項３】
請求項１又は２に記載の押圧具であって、
前記押圧シートは、可撓性又は弾性を有する
ことを特徴とする押圧具。
【請求項４】
請求項１〜３のいずれか一項に記載の押圧具であって、
前記シート保持部は、前記押圧シートが設置されるシート設置部と、肌と接触する肌接触部と、を含み、
前記肌接触部は、粘着力を有し、対象部位の周囲に貼り付けられる
ことを特徴とする押圧具。
【請求項５】
請求項４に記載の押圧具であって、
前記シート設置部と前記押圧シートとの粘着力が、前記肌接触部と肌との粘着力より弱い
ことを特徴とする押圧具。
【請求項６】
請求項４に記載の押圧具であって、
前記シート設置部は、粘着力を有しない
ことを特徴とする押圧具。
【請求項７】
請求項１〜６のいずれか一項に記載の押圧具であって、
前記押圧シートは、対象部位の肌と接触する側の面である肌側の面に、対象部位方向に突出する凸部が設けられている
ことを特徴とする押圧具。
【請求項８】
請求項１〜７のいずれか一項に記載の押圧具であって、
前記押圧シートは、対象部位を押圧する押圧部が、回転体である
ことを特徴とする押圧具。
【請求項９】
請求項１〜８のいずれか一項に記載の押圧具であって、
前記押圧シートは、前記シート保持部と接触する側の面である保持部側の面に、回転体が設けられている
ことを特徴とする押圧具。
【請求項１０】
請求項１〜７のいずれか一項に記載の押圧具であって、
前記押圧シートは、板ばね構造を有する
ことを特徴とする押圧具。
【請求項１１】
請求項１〜１０のいずれか一項に記載の押圧具であって、
前記押圧シートは、対象部位の肌と接触する側の面である肌側の面に、治療又は美容のための所定の機能部が設けられている
ことを特徴とする押圧具。
【請求項１２】
請求項１〜１０のいずれか一項に記載の押圧具であって、
前記押圧シートは、対象部位の肌と接触する側の面である肌側の面に、所定の粒子を含む素材がバインダーとともに塗布されている
ことを特徴とする押圧具。
【請求項１３】
請求項１〜１０のいずれか一項に記載の押圧具であって、
前記押圧シートは、対象部位の肌と接触する側の面である肌側の面に、対象部位に微弱電流を流すための微弱電流部が設けられている
ことを特徴とする押圧具。
【請求項１４】
請求項１〜１３のいずれか一項に記載の押圧具であって、
前記押圧シートは、略三日月形状である
ことを特徴とする押圧具。
【手続補正書】
【提出日】令和1年5月24日(2019.5.24)
【手続補正１】
【補正対象書類名】特許請求の範囲
【補正対象項目名】全文
【補正方法】変更
【補正の内容】
【特許請求の範囲】
【請求項１】
対象部位に接触させて使用する押圧具であって、
対象部位を押圧する押圧シートと、
前記押圧シートを対象部位に接触させるシート保持部と、を含み、
前記シート保持部は、前記押圧シートを上から覆っており、
前記押圧シートは、前記シート保持部に対して肌面方向に相対的に移動し、対象部位上で動くことができ、
前記シート保持部は、前記押圧シートが設置されるシート設置部と、肌と接触する肌接触部と、を含み、
前記肌接触部は、粘着力を有し、対象部位の周囲に貼り付けられ、
前記シート設置部と前記押圧シートとの粘着力が、前記肌接触部と肌との粘着力より弱い
ことを特徴とする押圧具。
【請求項２】
請求項１に記載の押圧具であって、
前記シート保持部は、伸縮性を有する
ことを特徴とする押圧具。
【請求項３】
請求項１又は２に記載の押圧具であって、
前記押圧シートは、可撓性又は弾性を有する
ことを特徴とする押圧具。
【請求項４】
対象部位に接触させて使用する押圧具であって、
対象部位を押圧する押圧シートと、
前記押圧シートを対象部位に接触させるシート保持部と、を含み、
前記シート保持部は、前記押圧シートを上から覆っており、
前記押圧シートは、前記シート保持部に対して肌面方向に相対的に移動し、対象部位上で動くことができ、
前記シート保持部は、前記押圧シートが設置されるシート設置部と、肌と接触する肌接触部と、を含み、
前記肌接触部は、粘着力を有し、対象部位の周囲に貼り付けられ、
前記シート設置部は、粘着力を有しない
ことを特徴とする押圧具。
【請求項５】
請求項１〜４のいずれか一項に記載の押圧具であって、
前記押圧シートは、対象部位の肌と接触する側の面である肌側の面に、対象部位方向に突出する凸部が設けられている
ことを特徴とする押圧具。
【請求項６】
請求項１〜５のいずれか一項に記載の押圧具であって、
前記押圧シートは、対象部位を押圧する押圧部が、回転体である
ことを特徴とする押圧具。
【請求項７】
請求項１〜６のいずれか一項に記載の押圧具であって、
前記押圧シートは、前記シート保持部と接触する側の面である保持部側の面に、回転体が設けられている
ことを特徴とする押圧具。
【請求項８】
請求項１〜５のいずれか一項に記載の押圧具であって、
前記押圧シートは、板ばね構造を有する
ことを特徴とする押圧具。
【請求項９】
請求項１〜８のいずれか一項に記載の押圧具であって、
前記押圧シートは、対象部位の肌と接触する側の面である肌側の面に、治療又は美容のための所定の機能部が設けられている
ことを特徴とする押圧具。
【請求項１０】
請求項１〜８のいずれか一項に記載の押圧具であって、
前記押圧シートは、対象部位の肌と接触する側の面である肌側の面に、所定の粒子を含む素材がバインダーとともに塗布されている
ことを特徴とする押圧具。
【請求項１１】
請求項１〜８のいずれか一項に記載の押圧具であって、
前記押圧シートは、対象部位の肌と接触する側の面である肌側の面に、対象部位に微弱電流を流すための微弱電流部が設けられている
ことを特徴とする押圧具。
【請求項１２】
請求項１〜１１のいずれか一項に記載の押圧具であって、
前記押圧シートは、略三日月形状である
ことを特徴とする押圧具。